(57)【要約】【課題】  撮影日などの文字情報を書き込んだ後に圧縮して記録した画像に対してサイズ変更を行っても、文字情報を鮮明に残すことができる電子カメラを提供する。【解決手段】  撮像により得られた画像に文字情報を書き込むと共に、画像に関わるタグ情報を作成して、タグ情報と関連づけて画像を記録する機能を備えた電子カメラにおいて、記録した画像のうち、任意の画像に対するサイズ変更指示を受け付ける受付部と、受付部がサイズ変更指示を受け付けると、サイズ変更の対象画像に文字情報が書き込まれているか否かを判定する判定部と、判定部により文字情報が書き込まれていると判定されると、対象画像のうち、文字情報が書き込まれている部分に対してマスク処理を施すと共に、対象画像のサイズを変更する画像処理を行う画像処理部と、画像処理部により画像処理が行われた画像のうち、マスク処理が施された部分に、タグ情報に基づいて新たな文字情報を書き込む書込部と、対象画像に関連づけて、書込部により新たな文字情報が書き込まれた画像を記録する記録部とを備える。【選択図】      図２
2005175597.tif 000002
【特許請求の範囲】
【請求項１】
撮像により得られた画像に文字情報を書き込むと共に、前記画像に関わるタグ情報を作成して、前記タグ情報と関連づけて前記画像を記録する機能を備えた電子カメラにおいて、
記録した画像のうち、任意の画像に対するサイズ変更指示を受け付ける受付部と、
前記受付部がサイズ変更指示を受け付けると、サイズ変更の対象画像に前記文字情報が書き込まれているか否かを判定する判定部と、
前記判定部により前記文字情報が書き込まれていると判定されると、前記対象画像のうち、前記文字情報が書き込まれている部分に対してマスク処理を施すと共に、前記対象画像のサイズを変更する画像処理を行う画像処理部と、
前記画像処理部により画像処理が行われた画像のうち、前記マスク処理が施された部分に、前記タグ情報に基づいて新たな文字情報を書き込む書込部と、
前記対象画像と関連づけて、前記書込部により新たな文字情報が書き込まれた前記画像を記録する記録部と
を備えたことを特徴とする電子カメラ。
【請求項２】
撮像により得られた画像に文字情報を書き込むと共に、前記画像に関わるタグ情報を作成して、前記タグ情報と関連づけて前記画像を記録する機能を備えた電子カメラにおいて、
記録した画像のうち、任意の画像に対するサイズ変更指示を受け付ける受付部と、
前記受付部がサイズ変更指示を受け付けると、サイズ変更の対象画像に前記文字情報が書き込まれているか否かを判定する判定部と、
前記判定部により前記文字情報が書き込まれていると判定されると、前記対象画像のうち、前記文字情報が書き込まれている部分に対して補間処理を施すと共に、前記対象画像のサイズを変更する画像処理を行う画像処理部と、
前記画像処理部により画像処理が行われた画像のうち、前記補間処理が施された部分に、前記タグ情報に基づいて新たな文字情報を書き込む書込部と、
前記対象画像と関連づけて、前記書込部により新たな文字情報が書き込まれた前記画像を記録する記録部と
を備えたことを特徴とする電子カメラ。
【請求項３】
請求項１または請求項２に記載の電子カメラにおいて、
前記書込部は、前記新たな文字情報を書き込む際に、前記対象画像に書き込まれていた前記文字情報よりも情報量の少ない文字情報を書き込む
ことを特徴とする電子カメラ。
【請求項４】
被写体像を撮像して画像を生成する撮像部と、
前記撮像部により生成された前記画像をもとに、予め定められた少なくとも１つのサイズの画像を生成する生成部と、
前記撮像部により生成された前記画像と、前記生成部により生成された前記画像とに文字情報を書き込む書込部と、
前記撮像部により生成された前記画像が本画像であることを示す情報を含む前記画像に関わるタグ情報を作成する作成部と、
前記タグ情報と関連づけて、前記書込部により前記文字情報が書き込まれたすべての画像を記録する記録部と、
前記記録部に記録された画像のうち、任意の前記本画像に対するサイズ変更指示を受け付ける受付部と、
前記受付部がサイズ変更指示を受け付けると、サイズ変更の対象画像と関連づけて記録された前記生成部により生成された画像のうち、前記サイズ変更指示に対応した画像を選択する選択部と、
前記選択部により選択された前記画像を表示する表示部と、
前記タグ情報のうち、前記撮像部により生成された前記画像が本画像であることを示す情報を、前記選択部により選択された前記画像が本画像であることを示す情報に変更するタグ情報変更部と
を備えたことを特徴とする電子カメラ。
【発明の詳細な説明】
【技術分野】
【０００１】
本発明は、撮像により得られた画像に文字情報を書き込む機能を備えた電子カメラに関する。
【背景技術】
【０００２】
従来より、撮像により得られた画像に撮影日などの文字情報を書き込む機能を備えた電子カメラが知られている（例えば、特許文献１参照）。このような電子カメラは、撮像により得られた画像に文字情報を書き込み、その後、文字情報を書き込んだ画像をＪＰＥＧなどの形式で圧縮して記録する。
また、撮像により得られた画像のサイズを変更可能な電子カメラが知られている（例えば、特許文献２参照）。近年のインターネットや電子メールなどの普及に伴い、このような電子カメラによる画像のサイズ変更のニーズが高まっている。このような電子カメラは、撮像後にＪＰＥＧなどの形式で圧縮して記録した画像を読み出し、読み出した画像に対して再び圧縮処理を行うことにより、画像のサイズを変更する。
【特許文献１】特許第３０３７１４０号公報
【特許文献２】特許第３３８７１８３号公報
【発明の開示】
【発明が解決しようとする課題】
【０００３】
しかし、前述した文字情報を書き込む機能を備えた電子カメラにより撮像され、文字情報を書き込んだ後に圧縮して記録した画像に対して画像のサイズ変更を行うと、文字情報の部分についても２度圧縮処理を行うことになる。そのため、文字情報が潰れて不鮮明になり、判読が難しくなるという問題がある。
本発明は、撮影日などの文字情報を書き込んだ後に圧縮して記録した画像に対してサイズ変更を行っても、文字情報を鮮明に残すことができる電子カメラを提供することを目的とする。
【課題を解決するための手段】
【０００４】
請求項１に記載の電子カメラは、撮像により得られた画像に文字情報を書き込むと共に、前記画像に関わるタグ情報を作成して、前記タグ情報と関連づけて前記画像を記録する機能を備えた電子カメラにおいて、記録した画像のうち、任意の画像に対するサイズ変更指示を受け付ける受付部と、前記受付部がサイズ変更指示を受け付けると、サイズ変更の対象画像に前記文字情報が書き込まれているか否かを判定する判定部と、前記判定部により前記文字情報が書き込まれていると判定されると、前記対象画像のうち、前記文字情報が書き込まれている部分に対してマスク処理を施すと共に、前記対象画像のサイズを変更する画像処理を行う画像処理部と、前記画像処理部により画像処理が行われた画像のうち、前記マスク処理が施された部分に、前記タグ情報に基づいて新たな文字情報を書き込む書込部と、前記対象画像と関連づけて、前記書込部により新たな文字情報が書き込まれた前記画像を記録する記録部とを備えたことを特徴とする。
【０００５】
請求項２に記載の電子カメラは、撮像により得られた画像に文字情報を書き込むと共に、前記画像に関わるタグ情報を作成して、前記タグ情報と関連づけて前記画像を記録する機能を備えた電子カメラにおいて、記録した画像のうち、任意の画像に対するサイズ変更指示を受け付ける受付部と、前記受付部がサイズ変更指示を受け付けると、サイズ変更の対象画像に前記文字情報が書き込まれているか否かを判定する判定部と、前記判定部により前記文字情報が書き込まれていると判定されると、前記対象画像のうち、前記文字情報が書き込まれている部分に対して補間処理を施すと共に、前記対象画像のサイズを変更する画像処理を行う画像処理部と、前記画像処理部により画像処理が行われた画像のうち、前記補間処理が施された部分に、前記タグ情報に基づいて新たな文字情報を書き込む書込部と、前記対象画像と関連づけて、前記書込部により新たな文字情報が書き込まれた前記画像を記録する記録部とを備えたことを特徴とする。
【０００６】
請求項３に記載の電子カメラは、請求項１または請求項２に記載の電子カメラにおいて、前記書込部は、前記新たな文字情報を書き込む際に、前記対象画像に書き込まれていた前記文字情報よりも情報量の少ない文字情報を書き込むことを特徴とする。
請求項４に記載の電子カメラは、被写体像を撮像して画像を生成する撮像部と、前記撮像部により生成された前記画像をもとに、予め定められた少なくとも１つのサイズの画像を生成する生成部と、前記撮像部により生成された前記画像と、前記生成部により生成された前記画像とに文字情報を書き込む書込部と、前記撮像部により生成された前記画像が本画像であることを示す情報を含む前記画像に関わるタグ情報を作成する作成部と、前記タグ情報と関連づけて、前記書込部により前記文字情報が書き込まれたすべての画像を記録する記録部と前記記録部に記録された画像のうち、任意の前記本画像に対するサイズ変更指示を受け付ける受付部と、前記受付部がサイズ変更指示を受け付けると、サイズ変更の対象画像と関連づけて記録された前記生成部により生成された画像のうち、前記サイズ変更指示に対応した画像を選択する選択部と、前記選択部により選択された前記画像を表示する表示部と、前記タグ情報のうち、前記撮像部により生成された前記画像が本画像であることを示す情報を、前記選択部により選択された前記画像が本画像であることを示す情報に変更するタグ情報変更部とを備えたことを特徴とする。
【発明の効果】
【０００７】
本発明によれば、撮影日などの文字情報が書き込まれた画像に対してサイズ変更を行っても、文字情報を鮮明に残すことができる電子カメラを提供することができる。
【発明を実施するための最良の形態】
【０００８】
以下、図面を用いて本発明を実施するための最良の形態について説明する。
《第１実施形態》
第１実施形態の電子カメラ１は、図１に示すように、撮像部１０、内部に不図示のメモリを備えた制御部１１、画像処理部１２、表示部１３、記録部１４を備え、これらはバスを介して相互に接続されている。また、電子カメラ１は、不図示の電源ボタン、レリーズボタンなどを含む操作部１５を備える。また、操作部１５は、本発明の特徴である画像のサイズ変更指示を受け付ける。操作部１５の状態は、制御部１１により検知される。
【０００９】
撮像部１０は、不図示の撮影レンズと、被写体の輝度や撮影距離などを測定する各種センサと、ＣＣＤ撮像素子などの光電変換素子と、光電変換素子により得られた画像を増幅するアナログゲイン調整部と、アナログ信号をディジタル信号に変換するＡ／Ｄ変換器とを備える。撮像部１０は、撮影レンズを介した被写体像を光電変換素子により撮像し、さらに、アナログゲイン調整部およびＡ／Ｄ変換器を介して画像を生成する。
【００１０】
画像処理部１２は、撮像部１０により生成された画像に対して、ホワイトバランス調整などの所定の画像処理を行う。また、画像処理部１２は、本発明の特徴である文字情報の書き込み、マスク処理、および画像のサイズ変更を行う（詳細は後述する）。
表示部１３は、不図示の表示処理部および液晶モニタを備える。液晶モニタは、撮像部１０により撮像された画像の再生表示に使用される他に、構図確認用のビューファインダとしても使用される。
【００１１】
記録部１４は、メモリカード（カード状のリムーバブルメモリ）を着脱可能な不図示のインタフェース部を備え、撮像部１０により生成された画像を記録する。
制御部１１は、電子カメラ１における各動作を行うためのプログラムを予め記録している。そして、制御部１１は、このプログラムにしたがって、撮像部１０、画像処理部１２、表示部１３、記録部１４の各部を制御する。また、制御部１１は、撮像により生成された画像ごとにタグ情報を作成して、タグ情報と関連づけて画像を記録する。このようなタグ情報には、撮影日などの撮影条件が含まれる。
【００１２】
以上説明したような構成の電子カメラ１において、不図示の電源ボタンが「ＯＮ」されると、制御部１１はこれを検知し、各部に構図確認用のスルー画像の撮像および表示を開始するよう指示する。
そして、ユーザにより操作部１５を介して撮影モードの実行が指示され、操作部１５の不図示のレリーズボタンが押圧されると、制御部１１は、撮像部１０を介して被写体像の撮像を行い、画像処理部１２を介して所定の画像処理を施して、記録部１４に記録する。このとき、制御部１１は、撮像により生成された画像のタグ情報を作成して、タグ情報と関連づけて画像を記録部１４に記録する。
【００１３】
なお、電子カメラ１は、画像自体に、撮影日などの文字情報を書き込み可能である。このような画像自体への書き込み指定は、操作部１５を介して撮影前に行われる。そして、書き込みに関する情報はタグ情報に記録される。
一方、ユーザにより操作部１５を介して再生モードの実行が指示されると、制御部１１は、指示にしたがって記録部１４から画像を読み出し、表示部１３の不図示の液晶モニタに読み出した画像を表示する。電子カメラ１は、再生モードにおいて、画像のサイズ変更や、タグ情報の設定などを行うことができる。
【００１４】
なお、制御部１１、操作部１５は、請求項の「受付部」に対応し、制御部１１は、請求項の「判定部」に対応する。制御部１１、画像処理部１２は、請求項の「画像処理部」、「書込部」に対応し、制御部１１、記録部１４は、請求項の「記録部」に対応する。
以下、本実施形態の特徴である、再生モードにおける画像のサイズ変更時の動作について、図２のフローチャートを用いて説明する。なお、本実施形態では、文字情報の一例として撮影日を例に挙げて説明する。また、画像のサイズ変更の指示は、予め定められた複数（例えば、３つ）のサイズから、変更後の画像のサイズを選択することにより行われる。
【００１５】
ユーザにより操作部１５を介して、再生モードにおける画像のサイズ変更が指示されると、制御部１１は、サイズ変更の対象画像に、撮影日が書き込まれているか否かを判定する（ステップＳ１）。
サイズ変更の対象画像に、撮影日が書き込まれていると判定されると、制御部１１は、画像処理部１２を介して、対象画像のうち、撮影日が書き込まれている部分に対してマスク処理を施す（ステップＳ２）。なお、撮影日が書き込まれる部分は、図３に示すように、予め定められている。図３において、Ａは画像であり、Ｂは撮影日などの文字情報書込領域である。この文字情報書込領域Ｂは、請求項の「文字情報が書き込まれている部分」に対応する。なお、図３中の数字は、各部の長さの比率を示す。制御部１１は、図３に示す文字情報書込領域Ｂに対して、画像処理部１２を介して、任意の単一色（例えば、黒色）でマスク処理を施す。このようなマスク処理により、対象画像に書き込まれていた撮影日が削除されることになる。
【００１６】
次に、制御部１１は、画像処理部１２を介して、圧縮処理を行って対象画像のサイズを変更する（ステップＳ３）。
そして、制御部１１は、対象画像のタグ情報から撮影日を読み出し（ステップＳ４）、ステップＳ２でマスク処理を施した部分に、マスクと異なる色（例えば赤色）で新たに撮影日を書き込む（ステップＳ５）。このとき、書き込まれる撮影日の文字の大きさは、サイズ変更後の画像の大きさに対応して決める。サイズ変更後の画像の大きさと文字の大きさとはテーブルの形で、制御部１１内の不図示のメモリに予め記録されている。
【００１７】
次に、制御部１１は、画像のサイズを変更したことをタグ情報に追加し、タグ情報と関連づけて、サイズ変更後の画像を記録部１４に記録し（ステップＳ６）、一連の動作を終了する。
一方、ステップＳ１において、サイズ変更の対象画像に、撮影日が書き込まれていないと判定されると、制御部１１は、ステップＳ３と同様に、対象画像のサイズ変更を行い（ステップＳ７）、画像のサイズを変更したことをタグ情報に追加し、タグ情報と関連づけて、サイズ変更後の画像を記録部１４に記録して（ステップＳ６）、一連の動作を終了する。
【００１８】
なお、ステップＳ６において、サイズ変更後の画像を記録する際に、サイズ変更後の画像を元画像（対象画像）に上書きして記録しても良いし、サイズ変更後の画像と元画像とを別々に記録するようにしても良い。
以上説明したように、第１実施形態によれば、サイズ変更の対象画像に撮影日などの文字情報が書き込まれているか否かを判定し、文字情報が書き込まれていると判定されると、対象画像のうち、文字情報が書き込まれている部分に対してマスク処理を施すと共に、画像のサイズを変更する。そして、マスク処理が施された部分に、タグ情報に基づいて新たな文字情報を書き込み、対象画像と関連づけて、新たな文字情報が書き込まれた画像を記録する。
【００１９】
したがって、撮影日などの文字情報が書き込まれた画像に対してサイズ変更を行っても、文字情報を鮮明に残すことができる。
なお、第１実施形態では、対象画像に対してマスク処理を施した後に画像のサイズを変更する（図２ステップＳ２およびステップＳ３参照）例を示したが、先に画像のサイズを変更してからマスク処理を施すようにしても良い。なお、マスク処理の対象となる領域は、画像のサイズと文字情報書込領域との比率（図３参照）に応じて求めるようにすれば良い。
【００２０】
また、第１実施形態では、マスク処理を黒色で行い、新たな文字情報の書き込みを赤色で行う例を示したが、マスク処理および文字情報の書き込みはどのような色で行っても良い。また、どのような色を用いるかをユーザに指定させるようにしても良い。
また、第１実施形態では、マスク処理において、文字情報書込領域を単一色で四角にマスク処理する例を示したが、四角でなくても良いし、また飾り枠などにしても良い。
【００２１】
《第２実施形態》
第２実施形態では、第１実施形態と異なる部分について説明する。第２実施形態の電子カメラ２（不図示）は、第１実施形態の電子カメラ１と同様の構成であるため、構成の図示および説明を省略し、以下では、第１実施形態の電子カメラ１と同様の符号を用いて説明する。
【００２２】
なお、電子カメラ２の制御部１１内のメモリには、第１実施形態とは異なるプログラムが記録されている。また、電子カメラ２の画像処理部１２は、撮像部１０により生成された画像に対して、ホワイトバランス調整などの所定の画像処理を行う他に、本発明の特徴である文字情報の書き込み、補間処理、および画像のサイズ変更を行う（詳細は後述する）。
【００２３】
以下、本実施形態の特徴である、再生モードにおける画像のサイズ変更時の動作について、図４のフローチャートを用いて説明する。なお、本実施形態では、第１実施形態と同様に、文字情報の一例として撮影日を例に挙げて説明する。また、画像のサイズ変更の指示は、予め定められた複数（例えば、３つ）のサイズから、変更後の画像のサイズを選択することにより行われる。
【００２４】
ユーザにより操作部１５を介して、再生モードにおける画像のサイズ変更が指示されると、制御部１１は、第１実施形態と同様に、サイズ変更の対象画像に、撮影日が書き込まれているか否かを判定する（ステップＳ１１）。
サイズ変更の対象画像に、撮影日が書き込まれていると判定されると、制御部１１は、画像処理部１２を介して、対象画像のうち、撮影日が書き込まれている部分に対して補間処理を施す（ステップＳ１２）。なお、撮影日が書き込まれる部分は、第１実施形態と同様に、予め定められている（図３参照）。
【００２５】
制御部１１は、画像処理部１２を介して、図３に示す文字情報書込領域Ｂの周辺領域の画像を用いて補間処理を施す。このような補間処理により、対象画像に書き込まれていた撮影日が削除されることになる。
次に、制御部１１は、第１実施形態と同様に、画像処理部１２を介して、圧縮処理を行って対象画像のサイズを変更する（ステップＳ１３）。
【００２６】
そして、制御部１１は、第１実施形態と同様に、対象画像のタグ情報から撮影日を読み出し（ステップＳ１４）、ステップＳ１２で補間処理を施した部分に、新たに撮影日を書き込む（ステップＳ１５）。このとき、書き込まれる撮影日の文字の大きさは、サイズ変更後の画像の大きさに対応して決める。サイズ変更後の画像の大きさと文字の大きさとはテーブルの形で、制御部１１内の不図示のメモリに予め記録されている。
【００２７】
次に、制御部１１は、画像のサイズを変更したことをタグ情報に追加し、タグ情報と関連づけてサイズ変更後の画像を記録部１４に記録し（ステップＳ１６）、一連の動作を終了する。
一方、ステップＳ１において、サイズ変更の対象画像に、撮影日が書き込まれていないと判定されると、制御部１１は、第１実施形態と同様に、対象画像のサイズ変更を行い（ステップＳ１７）、画像のサイズを変更したことをタグ情報に追加し、タグ情報と関連づけてサイズ変更後の画像を記録部１４に記録して（ステップＳ１６）、一連の動作を終了する。
【００２８】
なお、ステップＳ１６において、サイズ変更後の画像を記録する際に、サイズ変更後の画像を元画像（対象画像）に上書きして記録しても良いし、サイズ変更後の画像と元画像とを別々に記録するようにしても良い。
以上説明したように、第２実施形態によれば、サイズ変更の対象画像に撮影日などの文字情報が書き込まれているか否かを判定し、文字情報が書き込まれていると判定されると、対象画像のうち、文字情報が書き込まれている部分に対して補間処理を施すと共に、画像のサイズを変更する。そして、補間処理が施された部分に、タグ情報に基づいて新たな文字情報を書き込み、対象画像と関連づけて、新たな文字情報が書き込まれた画像を記録する。
【００２９】
したがって、撮影日などの文字情報が書き込まれた画像に対してサイズ変更を行っても、文字情報を鮮明に残すことができる。特に、第２実施形態によれば、撮影日などの文字情報が書き込まれた部分に補間処理を施すことにより、元の画像に近い画像を復元して、新たな文字情報の書き込みを行うことができる。
なお、第２実施形態では、対象画像に対して補間処理を施した後に画像のサイズを変更する（図４ステップＳ１２およびステップＳ１３参照）例を示したが、先に画像のサイズを変更してから補間処理を施すようにしても良い。なお、補間処理の対象となる領域は、画像のサイズと文字情報書込領域との比率（図３参照）に応じて求めるようにすれば良い。
【００３０】
また、第１実施形態および第２実施形態で、新たな文字情報を書き込む際に（図２ステップＳ５および図４ステップＳ１５参照）、元画像（対象画像）に書き込まれていた文字情報よりも情報量の少ない文字情報を書き込むようにしても良い。例えば、全角の文字を半角に変えたり、書き込む文字数を減らしたり、判読が易しいフォントに変更したりしても良い。このような場合、画像に対してサイズ変更を行って、文字書込領域がＢ小さくなっても、文字情報を鮮明に残すことができる。
【００３１】
また、第１実施形態および第２実施形態では、画像のサイズ変更の指示が、予め定められた複数（例えば、３つ）のサイズから、変更後のサイズを選択することにより行われる例を示したが、予め定められたサイズの数は３つでなくても良い。
また、サイズを数値などで指定するようにしても良い。このような場合、指定されたサイズに応じて、マスク処理または補間処理を施す領域を決定すれば良い。
【００３２】
《第３実施形態》
第３実施形態では、第１実施形態と異なる部分について説明する。第３実施形態の電子カメラ３（不図示）は、第１実施形態の電子カメラ１と同様の構成であるため、構成の図示および説明を省略し、以下では、第１実施形態の電子カメラ１と同様の符号を用いて説明する。
【００３３】
なお、電子カメラ３の制御部１１内のメモリには、第１実施形態とは異なるプログラムが記録されている。
また、撮像部１０、制御部１１は、請求項の「撮像部」に対応し、制御部１１、画像処理部１２は、請求項の「生成部」、「書込部」に対応する。また、制御部１１は、請求項の「作成部」、「選択部」、「タグ情報変更部」に対応し、制御部１１、操作部１５は、請求項の「受付部」に対応する。また、制御部１１、記録部１４は、請求項の「記録部」に対応し、制御部１１、表示部１３は、請求項の「表示部」に対応する。
【００３４】
以下、本実施形態の特徴である撮影モードにおける動作について、図５のフローチャートを用いて説明し、再生モードにおける画像のサイズ変更時の動作について、図６のフローチャートを用いて説明する。なお、本実施形態では、第１実施形態と同様に、文字情報の一例として撮影日を例に挙げて説明する。また、画像のサイズ変更の指示は、予め定められた複数（例えば、３つ）のサイズから、変更後の画像のサイズを選択することにより行われる。さらに、本実施形態では、画像自体への撮影日の書き込み指定が、操作部１５を介して、撮影前に設定されているものとする。
【００３５】
まず、撮影モードにおける動作について説明する。
ユーザにより操作部１５を介して、撮影モードの実行が指示されると、制御部１１は、ユーザにより、不図示のレリーズボタンが押圧されたか否かを判定する（ステップＳ２１）。
不図示のレリーズボタンが押圧されると、制御部１１は、撮像部１０を介して、被写体像の撮像を行い（ステップＳ２２）、画像を生成する。このとき、制御部１１は、撮影日などの撮影条件を含むタグ情報を作成する。
【００３６】
次に、制御部１１は、画像処理部１２を介して、ステップＳ２２で撮像部１０により生成された画像に対して圧縮処理を行って、各サイズの画像を生成する（ステップＳ２３）。ここで、各サイズの画像とは、前述した画像のサイズ変更の指示を行う際に、選択可能な、予め定められた複数（例えば、３つ）のサイズに対応した画像である。制御部１１は、画像処理部１２を介して、撮像部１０により生成された画像に対して圧縮処理を行って、それぞれのサイズに対応した画像を生成する。
【００３７】
そして、制御部１１は、対象画像のタグ情報から撮影日を読み出し、撮像部１０により生成された画像と、ステップＳ２３で生成された各サイズの画像とに、撮影日を書き込む（ステップＳ２４）。なお、撮影日の書き込みは、図３に示す文字情報書込領域Ｂに対して行われる。
そして、制御部１１は、撮像により生成された画像と、ステップＳ２３で生成した各サイズの画像とを圧縮して、タグ情報と関連づけて記録部１４に記録し（ステップＳ２５）、一連の動作を終了する。このとき、制御部１１は、撮像により生成された画像を、本画像とすることをタグ情報に追加する。
【００３８】
次に、再生モードにおける画像のサイズ変更時の動作について説明する。
ユーザにより操作部１５を介して、再生モードにおける画像のサイズ変更が指示されると、制御部１１は、サイズ変更の対象画像と関連づけて記録された画像のうち、画像のサイズ変更の指示において選択されたサイズに対応した画像を選択して、記録部１４から読み出す（ステップＳ３１）。
【００３９】
そして、制御部１１は、読み出した画像を表示部１３の不図示の液晶モニタに表示する（ステップＳ３２）。
そして、制御部１１は、画像のサイズを変更したことと、ステップＳ３１で選択した画像を本画像とすることとをタグ情報に追加して、そのタグ情報を記録し（ステップＳ３３）、一連の動作を終了する。
【００４０】
以上説明したように、第３実施形態によれば、撮影モードにおいて、撮像部１０により生成された画像をもとに、予め定められた３つのサイズの画像を生成し、撮像部１０により生成された画像と、予め定められた３つのサイズの画像とに撮影日などの文字情報を書き込み、文字情報が書き込まれたすべての画像と、撮像部により生成された画像が本画像であることを示す情報を含むタグ情報とを関連づけて記録する。そして、再生モードにおいて、画像のサイズ変更指示を受け付けると、サイズ変更の対象画像と関連づけて記録部１４に記録された３つのサイズの画像のうち、サイズ変更指示に対応した画像を選択して表示し、さらに、タグ情報のうち、撮像部により生成された画像が本画像であることを示す情報を、選択された画像が本画像であることを示す情報に変更する。
【００４１】
したがって、撮影日などの文字情報が書き込まれた画像に対してサイズ変更を行っても、文字情報を鮮明に残すことができる。特に、第３実施形態によれば、撮像により生成された画像を、サイズ変更に対応した３つのサイズの画像に変更してから、撮影日の書き込みを行うので、画像のサイズ変更を行っても、文字情報を鮮明に残しつつ、元の画像を完全に残しておくことができる。
【００４２】
なお、第３実施形態では、ステップＳ２３において、画像のサイズ変更指示に対応した３つのサイズの画像を生成したが、予め定められたサイズの数は３つでなくても良い。
また、電子カメラ３が、再生表示用の縮小画像（サムネイル画像）を生成する場合、サイズが一致すれば、画像のサイズ変更指示に対応したサイズの画像と再生表示用の縮小画像とを兼用するようにしても良い。このような場合、画像の記録に必要な記録領域を節約することができる。
【００４３】
また、第１実施形態ないし第３実施形態では、文字情報として、撮影日を例に挙げて説明したが、文字情報は、撮影日時や、撮影条件（露出や焦点距離などの）などでも良い。
【図面の簡単な説明】
【００４４】
【図１】第１実施形態の電子カメラ１の構成を示すブロック図である。
【図２】第１実施形態の電子カメラ１の動作を示すフローチャートである。
【図３】文字情報の書き込み位置について説明する図である。
【図４】第２実施形態の電子カメラ２の動作を示すフローチャートである。
【図５】第３実施形態の電子カメラ３の動作を示すフローチャートである。
【図６】第３実施形態の電子カメラ３の動作を示すフローチャートである。
【符号の説明】
【００４５】
１，２，３  電子カメラ
１０  撮像部
１１  制御部
１２  画像処理部
１３  表示部
１４  記録部
１５  操作部
【図１】
2005175597.tif 000003
【図２】
2005175597.tif 000004
【図３】
2005175597.tif 000005
【図４】
2005175597.tif 000006
【図５】
2005175597.tif 000007
【図６】
2005175597.tif 000008